(57)【要約】【課題】１人の利用者からの電子メールを利用して転送された情報を、複数の蓄積場所に蓄積できる情報蓄積方法及び情報蓄積システムを提供する。【解決手段】情報蓄積システムは、メール受信部１１、利用者ＤＢ１２、アルバムＤＢ１３、制御部１４、Ｗｅｂサーバ２０を含んで構成される。利用者ＤＢ１２には、利用者の電子メールアドレスと予め登録された蓄積用電子メールアドレスとの組合せに対応させて、電子メールに含まれる蓄積要求情報の蓄積場所を示す情報を記憶しており、制御部１４は、電子メール受信部１１で受信した電子メールの送信元アドレスと送信先アドレスに基づき、利用者ＤＢ１２を参照して蓄積場所を特定し、特定された蓄積場所に、受信した蓄積要求情報を記憶させる。【選択図】図１
2004152143.tif 000002
【特許請求の範囲】
【請求項１】
電子メールを利用して転送された情報の蓄積サービスを行う情報蓄積方法であって、
蓄積すべき蓄積要求情報を含む電子メールを受信するステップと、
前記電子メールの送信元アドレスと送信先アドレスに基づいて、前記蓄積要求情報を蓄積すべき蓄積場所を特定するステップと、
特定された前記蓄積場所に、受信した前記蓄積要求情報を記憶するステップとを含む情報蓄積方法。
【請求項２】
請求項１記載の情報蓄積方法であって、
前記蓄積要求情報は、前記電子メールに添付された撮影画像情報を含む情報蓄積方法。
【請求項３】
請求項１又は２記載の情報蓄積方法であって、
前記蓄積要求情報は、前記電子メールに添付された音情報を含む情報蓄積方法。
【請求項４】
請求項１ないし３のいずれか１項記載の情報蓄積方法であって、
前記送信先アドレスのユーザ名は、前記送信元アドレスの所有者が任意に定めたものである情報蓄積方法。
【請求項５】
電子メールを利用して転送された情報の蓄積サービスを行う情報蓄積システムであって、
蓄積すべき蓄積要求情報を含む電子メールを受信する電子メール受信部と、
利用者の電子メールアドレスと予め登録された蓄積用電子メールアドレスとの組合せに対応させて、前記電子メールに含まれる蓄積要求情報の蓄積場所を示す情報を記憶した蓄積場所記憶部と、
前記蓄積要求情報の蓄積制御を行う制御部とを有し、
前記制御部は、前記電子メール受信部で受信した前記電子メールの送信元アドレスと送信先アドレスに基づき、前記蓄積場所記憶部を参照して前記蓄積場所を特定し、特定された前記蓄積場所に、受信した前記蓄積要求情報を記憶するものである情報蓄積システム。
【請求項６】
請求項５記載の情報蓄積システムであって、
前記蓄積要求情報は、前記電子メールに添付された撮影画像情報を含む情報蓄積システム。
【請求項７】
請求項５又は６記載の情報蓄積システムであって、
前記蓄積要求情報は、前記電子メールに添付された音情報を含む情報蓄積システム。
【請求項８】
請求項５ないし７のいずれか１項記載の情報蓄積システムであって、
前記蓄積場所記憶部の前記蓄積用電子メールアドレスのユーザ名は、前記利用者が任意に定めたものである情報蓄積システム。
【発明の詳細な説明】
【０００１】
【発明の属する技術分野】
本発明は、電子メールを利用して転送された情報の蓄積サービスを行う情報蓄積方法及び情報蓄積システムに関する。
【０００２】
【従来の技術】
近年、カメラ付き携帯電話の普及が進み、携帯電話で撮影した写真をそのまま電子メールで送信できるようになっている。また、カメラ付き携帯電話により、画像添付付き電子メールをユーザ専用のアドレスに送信することで、撮影画像を蓄積するいわゆるアルバムサービスも実施されている（非特許文献１参照）。このシステムにおいては、送信された撮影画像がアルバム用のＷｅｂサーバに保管され、ユーザ専用のＵＲＬによって利用可能となっている。
【０００３】
しかし、非特許文献１のシステムは、利用者からのアルバムサービスの利用申し込みがあると、利用者毎に１つの送信先アドレスが割当てられるものであり、利用者は複数のアルバムを持つことができない。したがって、蓄積すべき画像情報を、その内容毎に整理して蓄積することが事実上不可能である。
【０００４】
【非特許文献１】
“＠写メールアルバム”［平成１４年１０月２３日検索］、インターネット＜ＵＲＬ：ｈｔｔｐｓ：／／ｗｗｗ．ｍｙｊ−ｓｋｙ．ｎｅｔ／ｓｉｇｎｉｎ．ｊｓｐ＞
【０００５】
【発明が解決しようとする課題】
本発明は、上記事情に鑑みなされたもので、１人の利用者からの電子メールを利用して転送された情報を、複数の蓄積場所に蓄積できる情報蓄積方法及び情報蓄積システムを提供することを目的とするものである。
【０００６】
【課題を解決するための手段】
本発明の情報蓄積方法は、電子メールを利用して転送された情報の蓄積サービスを行うものであって、蓄積すべき蓄積要求情報を含む電子メールを受信するステップと、前記電子メールの送信元アドレスと送信先アドレスに基づいて、前記蓄積要求情報を蓄積すべき蓄積場所を特定するステップと、特定された前記蓄積場所に、受信した前記蓄積要求情報を記憶するステップとを含むものである。
【０００７】
本発明の情報蓄積方法における前記蓄積要求情報は、前記電子メールに添付された撮影画像情報を含んでよい。
【０００８】
本発明の情報蓄積方法における前記蓄積要求情報は、前記電子メールに添付された音情報を含んでよい。
【０００９】
本発明の情報蓄積方法における前記送信先アドレスのユーザ名は、前記送信元アドレスの所有者が任意に定めたものを含んでよい。
【００１０】
本発明の情報蓄積システムは、電子メールを利用して転送された情報の蓄積サービスを行うものであって、蓄積すべき蓄積要求情報を含む電子メールを受信する電子メール受信部と、利用者の電子メールアドレスと予め登録された蓄積用電子メールアドレスとの組合せに対応させて、前記電子メールに含まれる蓄積要求情報の蓄積場所を示す情報を記憶した蓄積場所記憶部と、前記蓄積要求情報の蓄積制御を行う制御部とを有し、前記制御部は、前記電子メール受信部で受信した前記電子メールの送信元アドレスと送信先アドレスに基づき、前記蓄積場所記憶部を参照して前記蓄積場所を特定し、特定された前記蓄積場所に、受信した前記蓄積要求情報を記憶するものである。
【００１１】
本発明の情報蓄積システムにおける前記蓄積要求情報は、前記電子メールに添付された撮影画像情報を含んでよい。
【００１２】
本発明の情報蓄積システムにおける前記蓄積要求情報は、前記電子メールに添付された音情報を含んでよい。
【００１３】
本発明の情報蓄積システムにおける前記蓄積場所記憶部の前記蓄積用電子メールアドレスのユーザ名は、前記利用者が任意に定めたものを含んでよい。
【００１４】
【発明の実施の形態】
以下、本発明の実施の形態について、図面を用いて説明する。図１は、本発明の情報蓄積システムの実施の形態の概略構成を示す図である。図１の画像蓄積システムは、主としてカメラ機能付き携帯電話で撮影され、携帯電話による電子メールを利用して転送された撮影画像情報の蓄積サービスを行うものである。
【００１５】
図１のシステムは、メール受信部１１、利用者データベース（以下、「利用者ＤＢ」と記述する。）１２、アルバムデータベース（以下、「アルバムＤＢ」と記述する。）１３、制御部１４、Ｗｅｂサーバ２０を含んで構成される。メール受信部１１は、利用者からの電子メールを受信するもので、具体的には特定のドメイン名（この例では、＠ｕｐｌｏａｄ．ｃｏｍ）を有する電子メールを全て受信する。送信される電子メールは、カメラ付き携帯電話からの画像添付付き電子メールを想定しているが、当然パソコンからの画像添付付き電子メールも同様に受信する。
【００１６】
利用者ＤＢ１２は、情報蓄積サービスを利用しようとする利用者に関する情報を記憶するもので、利用登録を行った利用者の識別情報、氏名、住所、電話番号、電子メールアドレス等の個人情報と共に、利用者から蓄積要求があった情報を蓄積する蓄積場所を示す情報を記憶する。蓄積場所を示す情報は、この例ではアルバムＤＢ１３の記憶アドレス情報であり、このアドレス情報は、利用者毎に１又は複数指定可能である。
【００１７】
アルバムＤＢ１３のアドレス情報は、利用者の電子メールアドレス（以下、「利用者メールアドレス」と記述する。）と情報蓄積のための登録用電子メールアドレス（以下、「登録用メールアドレス」と記述する。）との組合せに対応させて記憶される。図２に、利用者ＤＢ１２に記憶される情報の一例を示す。図２は、情報蓄積に関連する情報を模式的に示すもので、図２のような構造とは限らない。
【００１８】
登録用メールアドレスは、利用者が情報蓄積をする蓄積場所単位毎に設定されるもので、共通のドメイン名を有する。ユーザ名は利用者メールアドレス毎に異なっておればよく、システム側が自動的に設定するようにしても、利用者が利用申し込み時に任意に設定してもよい。利用者が設定するようにすると、蓄積情報に関連するユーザ名とすることができ、蓄積すべき情報との関連が把握し易くなり、使い勝手が向上する。図２の例では、利用者「田中花子」と「鈴木順子」の登録用メールアドレスに同一のもの「ｊｉｒｏ＠ｕｐｌｏａｄ．ｃｏｍ」が含まれている。
【００１９】
蓄積場所情報に対応させて示したアルバム名は、利用者が蓄積情報の認識用に設定するものであり、ＷｅｂページのＵＲＬは、蓄積した情報にアクセスするためのＵＲＬであり、システム側が自動的に設定する。蓄積サービス利用者に関する情報は、サービス利用申し込み時に登録される。サービス利用の申し込みは、携帯電話等の端末を利用してネットワークを利用して行ってもよいし、所定の事項を記入した利用申込書を用いてもよい。
【００２０】
アルバムＤＢ１３は、利用者から電子メールを利用して転送された画像情報を記憶するもので、利用者によって設定されたタイトル単位で管理される。このアルバムＤＢ１３は、Ｗｅｂサーバ２０によってアクセス可能であり、Ｗｅｂサーバ２０は、図示しない端末からの配信要求があると、図２に示すような対応ＵＲＬによって特定される蓄積画像情報を利用してＷＥＢページを作成し、配信する。
【００２１】
制御部１４は、図１に示すシステムの情報蓄積処理全体の制御を行うもので、プログラムによって動作するプロセッサを主体に構成される。メール受信部１１の機能を有するメールサーバ用コンピュータと兼用してもよい。
【００２２】
次に、図１に示される情報蓄積システムの概略動作を説明する。図３は、情報蓄積処理の概略フローを示す図である。ステップ３０１で電子メールを受信すると、ステップ３０２で利用者ＤＢ１２を参照し、受信した電子メールの送信元アドレスが、利用者メールアドレスとして記憶されているかどうかを判断する（ステップ３０３）。
【００２３】
送信元アドレスが記憶されている場合は、受信した電子メールの送信先アドレスが、記憶された利用者メールアドレスと対応付けられた登録用メールアドレスとして記憶されているかどうかを判断し（ステップ３０４）、記憶されている場合は対応して記憶される蓄積場所情報を取得する（ステップ３０５）。そして、ステップ３０６で、受信した電子メールに添付される画像情報を、取得した蓄積場所（アルバムＤＢ１３の所定の場所）に蓄積する。その際、電子メール本文のテキスト情報を、蓄積した画像情報のコメント情報として合わせて蓄積してもよい。
【００２４】
ステップ３０３で、送信元アドレスが記憶されていないと判断された場合、及びステップ３０４で送信先アドレスが記憶されていないと判断された場合は、ステップ３０７でエラー情報を出力する。エラー情報の出力は、例えば、受信した電子メールの送信元アドレスに、情報の蓄積ができない旨の電子メールを送信することによって行う。その際、利用者として登録されていないのか、送信先アドレスが異なるのかを識別できるエラー情報を出力してもよい。
【００２５】
なお、ステップ３０６の処理で電子メールに画像情報が添付されていない場合にも、その旨のエラー情報を電子メールで送信してもよい。
【００２６】
以上、蓄積する情報として画像情報を扱うものについて説明したが、蓄積する情報としては、携帯電話によって録音した音情報でも、また画像情報と音情報の両方でもよい。そのような情報をどのように処理するかは、蓄積サービスの構築時に予め定めておくのが利用方法が簡単になるが、利用者が例えば電子メール本文で指定可能としてもよい。
【００２７】
【発明の効果】
以上の説明から明らかなように、本発明によれば、１人の利用者からの電子メールを利用して転送された情報を、複数の蓄積場所に蓄積することができる。
【図面の簡単な説明】
【図１】本発明の情報蓄積システムの実施の形態の概略構成を示す図
【図２】利用者ＤＢに記憶される情報の一例を示す図
【図３】情報蓄積処理の概略フローを示す図
【符号の説明】
１１・・・メール受信部
１２・・・利用者データベース
１３・・・アルバムデータベース
１４・・・制御部
２０・・・Ｗｅｂサーバ
【図１】
2004152143.tif 000003
【図２】
2004152143.tif 000004
【図３】
2004152143.tif 000005